(57)【要約】  【課題】  太陽電池モジュールの構造を折り畳み可能とし、輸送性を高め、展開時に固定することで取り扱い性を高めた太陽電池モジュールを提供することを目的とする。  【解決手段】  ４枚の矩形状もしくは正方形状の太陽電池モジュールを２行２列の行列状に配置してなる太陽電池アレイであって、この太陽電池アレイを折り畳めるようにすべく、この太陽電池アレイの位置（１，１）と位置（２，１）に配置される太陽電池モジュールの隣り合う端部を連結具で連結させ、さらに位置（１，２）と位置（２，２）に配置される太陽電池モジュールの隣り合う端部を連結具で連結させるとともに、この太陽電池アレイの位置（１，１）と位置（１，２）もしくは位置（２，１）と位置（２，２）に配置される太陽電池モジュールの隣り合う端部を連結具で連結させたことを特徴とする太陽電池アレイ。  【選択図】  図５
2005317573.tif 000002
【特許請求の範囲】
【請求項１】
４枚の矩形状もしくは正方形状の太陽電池モジュールを２行２列の行列状に配置してなる太陽電池アレイであって、この太陽電池アレイを折り畳めるようにすべく、この太陽電池アレイの位置（１，１）と位置（２，１）に配置される太陽電池モジュールの隣り合う端部を連結具で連結させ、さらに位置（１，２）と位置（２，２）に配置される太陽電池モジュールの隣り合う端部を連結具で連結させるとともに、この太陽電池アレイの位置（１，１）と位置（１，２）もしくは位置（２，１）と位置（２，２）に配置される太陽電池モジュールの隣り合う端部を連結具で連結させたことを特徴とする太陽電池アレイ。
【請求項２】
ｍ×ｎ枚（ｍ、ｎは自然数、ｍ≧２、ｎ≧３）の矩形状もしくは正方形状の太陽電池モジュールをｍ行ｎ列の行列状に配置してなる太陽電池アレイであって、この太陽電池アレイを折り畳めるようにすべく、この太陽電池アレイの列方向に配置される太陽電池モジュールの隣り合う端部をそれぞれ連結具で連結させるとともに、ａとｂをそれぞれ１≦ａ≦（ｎ−１）／２、１≦ｂ≦ｎ／２を満たす自然数とし、この太陽電池アレイの位置（１，２ａ＋１）と位置（１，２ａ）に配置される太陽電池モジュールの隣り合う端部を連結具で連結させ、さらに位置（ｍ，２ｂ）と位置（ｍ，２ｂ−１）に配置される太陽電池モジュールの隣り合う端部を連結具で連結させたことを特徴とする太陽電池アレイ。
【請求項３】
前記行列状に配置された太陽電池モジュールの側面からこれらの太陽電池モジュールを貫通する複数の穴を設け、これらの穴に棒状支持部材を挿入し、前記行列状に配置された太陽電池モジュールの展開状態を保持するようにしたことを特徴とする請求項１または２に記載の太陽電池アレイ。
【請求項４】
外周部に棒状支持部材を固定するための複数の固定ベルトを設け、これらの固定ベルトを用いて棒状支持部材を外周部に固定し、前記行列状に配置された太陽電池モジュールの展開状態を保持するようにしたことを特徴とする請求項１または２に記載の太陽電池アレイ。
【請求項５】
外周部に棒状支持部材を嵌め込むための複数の溝部を設け、これらの溝部に棒状支持部材を嵌め込み、前記行列状に配置された太陽電池モジュールの展開状態を保持するようにしたことを特徴とする請求項１または２に記載の太陽電池アレイ。
【発明の詳細な説明】
【技術分野】
【０００１】
本発明は、太陽光で発電する矩形状の太陽電池モジュールを複数配置する太陽電池アレイにおいて、前記複数の太陽電池モジュールを用いて、折り畳み、展開を可能とする太陽電池アレイの構造に関するものである。
【背景技術】
【０００２】
近年、地球環境問題への関心の高まりとともに、自然エネルギーを利用した新エネルギー技術が注目されている。そのひとつとして、太陽エネルギーを利用したシステムへの関心が高く、大型の発電所を建設できない発展途上国や送電のできない離村、砂漠や未開発地域などでの調査活動で電力源として、太陽電池を用いた独立電源システムが活躍している。独立電源システムは太陽電池で発電した電力をそのまま通信装置やポンプなどの負荷に供給する簡易型のほかに、昼間の発電電力を蓄電池などに貯えて負荷への供給電力の安定化や夜間照明などの非発電時での負荷への使用を可能とした蓄電型がある。このような独立電源システムでは、架台と呼ばれる鉄やアルミニウム製のレールを組み合わせて作った設置台上に太陽光を電気に変換する太陽電池モジュールを載置する方法が一般的であり、この太陽電池モジュールを架台に複数搭載した状態を太陽電池アレイと称する。
【０００３】
図１６は従来の太陽電池モジュールの構造を模式的に示したー部断面図、図１７は従来の太陽電池モジュールの設置構造を模式的に示した斜視図である。
【０００４】
以下にラミネート式の製造方法で作られる太陽電池モジュールを例にその構造を説明する。図１６に示すように、太陽電池モジュール２０は、受光面にガラスや樹脂等の光透過板２４が設けられ、この光透過板２４に多数の太陽電池素子２３がＥＶＡ樹脂（Ｅｔｈｙｌｅｎｅ−Ｖｉｎｙｌ  Ａｃｅｔａｔｅ）等からなる封止材２５によってラミネートされ、その裏面である非受光面にはテフロン(R)フィルムやＰＶＦ（ポリフッ化ビニル）、ＰＥＴ（ポレエチレンテレフタレート）などの耐候性フィルム２６が貼着されたものであり、太陽電池素子２３としては、例えばシリコン系半導体やガリウムヒ素等から成る化合物半導体などの単結晶、多結晶や非晶質の材料が用いられ、互いに直列及び／または並列に電気的に接続されて、太陽電池モジュール２０の裏面、すなわち耐候性フィルム２６の上にはＡＢＳ樹脂などの合成樹脂やアルミニウム金属などで構成したジャンクションボックス１９を接着し、太陽電池モジュール２０の出力電力を取り出すターミナルに接続された送電線により出力が取り出される。
【０００５】
なお、これら光透過板２４、太陽電池素子２３および耐候性フィルム２６の重ね構造の矩形状の本体に対し、その各辺周囲をアルミニウム金属やＳＵＳ等から成る枠体２１を挟み込むように装着し、太陽電池モジュール２０の設置用固定部の役割を果たすようにしている。また、太陽電池モジュール２０の端部保護および全体の強度を高める強度向上の目的にも役立つ。枠体には鉄やステンレス、アルミニウムのような金属の折り曲げ材や押し出し成形、ＦＲＰなどの樹脂成型品が用いられ、枠体同士の組付けは直接ネジやリベットで結合されるものや、連結プレートのような補助部材を介して固定されたり、ガラスや樹脂等の光透過板２４に接着することで行われる。また、一体成型された枠に光透過板２４をはめ込む構造としてもよい。
【０００６】
そうして作られた太陽電池モジュールの発電電力を用いて、照明や電動機等の負荷を稼動させる。このとき、図１７に示すように、太陽電池モジュール２０を架台と呼ばれる鉄やアルミニウムなどのレールを組合わせた設置架台に載せて固定し、太陽光発電装置とするのであるが、太陽光発電装置は風などの風加重により飛ばされたり転倒させられたりしないように、架台の基部に基礎３１と呼ばれる埋設やコンクリート塊などの重量物を設けたり、設置面にアンカーなどを打ち込むなどして強固に固定する。上記架台は基礎３１間を渡す底部レール３２、太陽電池モジュール２０を固定する上辺レール３４のように複数のレールがボルト等で締め付け固定されているので、組立て工数が多く、また、分解して輸送する際には太陽電池モジュール２０やレール等がぶつかり合って破損しないように梱包を厳重にする必要や、同形であるので積み重ねし易い太陽電池モジュールにおいても滑りやすく荷崩れし易いので、梱包を厳重にする必要があった。
【０００７】
上述した問題を改善する手段として、太陽電池モジュールを連結して折り畳めるようにすることが考えられ、折り畳みを一方向とした蛇腹状の構造とし、ワイヤー等で地面などに設置固定して太陽電池アレイとするものが提案されている（例えば、特許文献１を参照）。
【特許文献１】特開２００３−３１８４３０号公報
【発明の開示】
【発明が解決しようとする課題】
【０００８】
しかしながら、架台の基部に埋設やコンクリート塊などの重量物である基礎を設けるため、一旦設置してしまうと容易に移設することができない。また、移設の度に基礎を作り直すのは材料の入手や施工の手間である。また、重量物である基礎を一緒に輸送する場合には搬送作業の困難や危険が生じることになる。
【０００９】
また、太陽電池モジュールを連結して折り畳めるようにした構造においても、一方向の折り畳み構造であることから、展開しない方向以外へは伸縮せず太陽電池アレイは一方向にのみ全幅が増加することになる。一般に横長な太陽電池アレイとした場合、出力に比例して全長が長くなり、また展開したものを固定するためのワイヤーあるいは大型の架台が必要となる。
【００１０】
さらに、太陽電池アレイの設置スペースが出力に応じて横長に大きくなり、設置スペースの確保が難しくなる問題がある。
【００１１】
また、短辺方向の比率が非常に小さいため、架台に設置しようとした際には短辺方向へ転倒することに対する強度が低く、風などの外力に対して転倒を防ぐための設備が必要となる。
【００１２】
そこで、本発明は上述の諸事情に鑑みてなされたものであり、その目的は小型にまとめることで輸送性を向上させ、据え置き型で利用した場合において短辺と長辺の比率が近い矩形状もしくは正方形状として設置幅を少なくし、設置後は外力に対して強い太陽電池アレイを提供することにある。
【課題を解決するための手段】
【００１３】
上記課題を解決するために、本発明の太陽電池アレイは、４枚の矩形状もしくは正方形状の太陽電池モジュールを２行２列の行列状に配置してなる太陽電池アレイであって、この太陽電池アレイを折り畳めるようにすべく、この太陽電池アレイの位置（１，１）と位置（２，１）に配置される太陽電池モジュールの隣り合う端部を連結具で連結させ、さらに位置（１，２）と位置（２，２）に配置される太陽電池モジュールの隣り合う端部を連結具で連結させるとともに、この太陽電池アレイの位置（１，１）と位置（１，２）もしくは位置（２，１）と位置（２，２）に配置される太陽電池モジュールの隣り合う端部を連結具で連結させたことを特徴とする。
【００１４】
また、本発明の他の太陽電池アレイは、ｍ×ｎ枚（ｍ、ｎは自然数、ｍ≧２、ｎ≧３）の矩形状もしくは正方形状の太陽電池モジュールをｍ行ｎ列の行列状に配置してなる太陽電池アレイであって、この太陽電池アレイを折り畳めるようにすべく、この太陽電池アレイの列方向に配置される太陽電池モジュールの隣り合う端部をそれぞれ連結具で連結させるとともに、ａとｂをそれぞれ１≦ａ≦（ｎ−１）／２、１≦ｂ≦ｎ／２を満たす自然数とし、この太陽電池アレイの位置（１，２ａ＋１）と位置（１，２ａ）に配置される太陽電池モジュールの隣り合う端部を連結具で連結させ、さらに位置（ｍ，２ｂ）と位置（ｍ，２ｂ−１）に配置される太陽電池モジュールの隣り合う端部を連結具で連結させたことを特徴とする。
【００１５】
また、本発明の他の太陽電池アレイは、前記行列状に配置された太陽電池モジュールの側面からこれらの太陽電池モジュールを貫通する複数の穴を設け、これらの穴に棒状支持部材を挿入し、前記行列状に配置された太陽電池モジュールの展開状態を保持するようにしたことを特徴とする。
【００１６】
また、本発明の他の太陽電池アレイは、外周部に棒状支持部材を固定するための複数の固定ベルトを設け、これらの固定ベルトを用いて棒状支持部材を外周部に固定し、前記行列状に配置された太陽電池モジュールの展開状態を保持するようにしたことを特徴とする。
【００１７】
さらに、本発明の他の太陽電池アレイは、外周部に棒状支持部材を嵌め込むための複数の溝部を設け、これらの溝部に棒状支持部材を嵌め込み、前記行列状に配置された太陽電池モジュールの展開状態を保持するようにしたことを特徴とする。
【発明の効果】
【００１８】
本発明の太陽電池アレイによれば、４枚の矩形状もしくは正方形状の太陽電池モジュールを２行２列の行列状に配置してなる太陽電池アレイであって、この太陽電池アレイを折り畳めるようにすべく、この太陽電池アレイの位置（１，１）と位置（２，１）に配置される太陽電池モジュールの隣り合う端部を連結具で連結させ、さらに位置（１，２）と位置（２，２）に配置される太陽電池モジュールの隣り合う端部を連結具で連結させるとともに、この太陽電池アレイの位置（１，１）と位置（１，２）もしくは位置（２，１）と位置（２，２）に配置される太陽電池モジュールの隣り合う端部を連結具で連結させたことにより、展開すると４倍の受光面積をもつ太陽電池モジュールを折り畳み時には縦横方向とも辺の長さを１／２とし、輸送性を向上させることができる。さらに展開時には縦、横の辺の長さが共に２倍となることで架台に設置した際に辺の長さが等しく２倍となり外力に対して安定した状態となる。
【００１９】
また、本発明の他の太陽電池アレイによれば、ｍ×ｎ枚（ｍ、ｎは自然数、ｍ≧２、ｎ≧３）の矩形状もしくは正方形状の太陽電池モジュールをｍ行ｎ列の行列状に配置してなる太陽電池アレイであって、この太陽電池アレイを折り畳めるようにすべく、この太陽電池アレイの列方向に配置される太陽電池モジュールの隣り合う端部をそれぞれ連結具で連結させるとともに、ａとｂをそれぞれ１≦ａ≦（ｎ−１）／２、１≦ｂ≦ｎ／２を満たす自然数とし、この太陽電池アレイの位置（１，２ａ＋１）と位置（１，２ａ）に配置される太陽電池モジュールの隣り合う端部を連結具で連結させ、さらに位置（ｍ，２ｂ）と位置（ｍ，２ｂ−１）に配置される太陽電池モジュールの隣り合う端部を連結具で連結させたことにより、展開するとｍ×ｎ倍の受光面積を持つ太陽電池モジュールを横方向は１／ｍとし、縦方向は１／ｎとし、輸送性を向上させることが出来る。さらに展開時には辺の長さが横方向にはｍ倍、縦方向にはｎ倍となることで安定することが出来る。また、折り畳まれた太陽電池モジュールの間に、他の太陽電池モジュールがこないため連結具が最短の長さとなり、展開時に発電に寄与しない面積をなくすと同時に、最短であるため強度を上げることができる。
【００２０】
また、本発明の他の太陽電池アレイによれば、前記行列状に配置された太陽電池モジュールの側面からこれらの太陽電池モジュールを貫通する複数の穴を設け、これらの穴に棒状支持部材を挿入し、前記行列状に配置された太陽電池モジュールの展開状態を保持するようにしたことにより、複数の太陽電池モジュールよりなる展開した太陽電池アレイを１枚の太陽電池モジュールとして取り扱いが容易となる。
【００２１】
また、本発明の他の太陽電池アレイによれば、外周部に棒状支持部材を固定するための複数の固定ベルトを設け、これらの固定ベルトを用いて棒状支持部材を外周部に固定し、前記行列状に配置された太陽電池モジュールの展開状態を保持するようにしたことにより、太陽電池モジュールを固定することができる。また、固定ベルトにすることで棒の径を大小に幅を持たせることが出来るため、太陽電池モジュールを使用する現地にて棒を準備することができ輸送しなければならない部材数を削減することが出来る。
【００２２】
また、本発明の他の太陽電池アレイによれば、外周部に棒状支持部材を嵌め込むための複数の溝部を設け、これらの溝部に棒状支持部材を嵌め込み、前記行列状に配置された太陽電池モジュールの展開状態を保持するようにしたことにより、行列状に展開された太陽電池モジュールを展開状態で固定することができる。
【発明を実施するための最良の形態】
【００２３】
図６の（ａ）、（ｂ）は本発明に係る太陽電池アレイにおいて折り畳み構造の断面を模式的に説明する図であり、（ａ）は平面図、（ｂ）は一部断面図である。
【００２４】
図６（ａ）、（ｂ）に示すように、本発明における太陽電池モジュール１１は、受光面にガラスや樹脂等の光透過板１２が設けられ、この光透過板１２に多数の太陽電池素子１がＥＶＡ樹脂（Ｅｔｈｙｌｅｎｅ−Ｖｉｎｙｌ  Ａｃｅｔａｔｅ）等からなる封止材１３によってラミネートされ、その裏面である非受光面にはテフロン(R)フィルムやＰＶＦ（ポリフッ化ビニル）、ＰＥＴ（ポレエチレンテレフタレート）などの耐候性フィルム１４が貼着されたものであり、太陽電池素子１としては、例えばシリコン系半導体やガリウムヒ素等から成る化合物半導体などの単結晶、多結晶や非晶質の材料が用いられ、互いに直列及び／または並列に電気的に接続されて、太陽電池モジュール１１の裏面、すなわち耐候性フィルム１４の上にはＡＢＳ樹脂などの合成樹脂やアルミニウム金属などで構成したジャンクションボックス１６を接着し、太陽電池モジュール１１の出力電力を取り出すターミナルに接続された送電線により出力が取り出されるものであり、太陽電池モジュール１１の枠部１５の端面に取り付けられた連結具１７（もしくは１８）により他の太陽電池モジュールに連結される。
【００２５】
なお、図中の連結具１７（もしくは１８）は太陽電池モジュールの発電面（表面）側に配置されているが、太陽電池モジュールの裏面に配置するものもある。
【００２６】
以下に任意の太陽電池モジュール数を用いて折り畳む構造とするときの本発明の太陽電池アレイの構成方法を代数を用いて説明する。
【００２７】
図１は本発明に係る太陽電池アレイにおける太陽電池モジュールの配置を模式的に説明する配置図、図２は本発明に係る太陽電池アレイにおける太陽電池モジュールと列方向の第１連結具の配置を模式的に説明する配置図である。
【００２８】
図１に示すように、矩形状もしくは正方形状の太陽電池モジュールが、ｍ行ｎ列（ｍ、ｎは自然数、ｍ≧２、ｎ≧３）の行列状に並べられた太陽電池アレイとする場合、まず、図２に示すように、列方向に隣接する太陽電池モジュール同士を第１連結具１７（１７a、１７ｂ）によって接続する。このとき、太陽電池モジュールの受光面を表面と定義し、太陽電池モジュール（１，１）と（２，１）間の第１連結具１７ａを太陽電池モジュール（１，１）と（２，１）の表面側に配置し、次の太陽電池モジュール（２，１）と（３，１）間の第１連結具１７ｂを次の太陽電池モジュール（２，１）と（３，１）の裏面側に、そしてさらに太陽電池モジュール（３，１）と（４，１）間の第１連結具１７ａを次の太陽電池モジュール（３，１）と（４，１）の表面側にというように、連結金具１７（１７a、１７ｂ）を太陽電池モジュールの表面側と裏面側に交互に配置していく。
【００２９】
図３は本発明に係る太陽電池アレイにおける太陽電池モジュールと行方向の第２連結具の配置の一部を模式的に説明する配置図である。
【００３０】
次に、図３に示すように、行方向に第２連結具１８ａを配置していくのであるが、この時、太陽電池モジュール（１，２ａ）、（１，２ａ＋１）間が連結具で接続されるように配置する。
【００３１】
ここで、ａは自然数、ａの範囲は
１≦２ａ              ・・・（１）
２ａ＋１≦ｎ          ・・・（２）
であり、前式（１）及び（２）を整理するとａは
１≦ａ≦（ｎ−１）／２  ・・・（３）
を満たす全ての自然数が用いられる。
【００３２】
図４は本発明に係る太陽電池アレイにおける太陽電池モジュールの行方向の第２連結具の配置を完了した様子を模式的に説明する配置図である。
【００３３】
次に、図４に示すように行方向に第２連結具１８ｂを配置していくのであるが、この時、太陽電池モジュール（ｍ，２ｂ−１）、（ｍ，２ｂ）間が連結具で接続されるように配置する。
【００３４】
ここで、ｂは自然数、ｂの範囲は
１≦２ｂ−１          ・・・（４）
２ｂ≦ｎ              ・・・（５）
であり、であり、前式（４）及び（５）を整理するとｂは
ｂは  １≦ｂ≦ｎ／２  ・・・（６）
を満たす全ての自然数が用いられる。
【００３５】
上記のようにして、太陽電池モジュールの（１，２）と（１，３）が第２連結具１８ａ、太陽電池モジュール（ｍ，１）と（ｍ，２）が第２連結具１８ｂのように順次連結され、以下ｎ列目まで同様の法則にしたがって連結する。
【００３６】
図５は本発明に係る太陽電池アレイの連結された状態を模式的に説明する配置図、図１４は本発明に係る太陽電池アレイの１列目を２列目に折り畳む動作を模式的に説明模式図、図１５は本発明に係る太陽電池アレイの２列目を３列目に折り畳む動作を模式的に説明模式図である。
【００３７】
以上のようにしてｍ行ｎ列の全ての太陽電池モジュールの連結が終了し、図５のように太陽電池アレイ１０が完成する。このときの連結具１７（１７a、１７ｂ）及び１８（１８a、１８ｂ）による太陽電池モジュールの連結が連続する法則の概略を矢印で示す。
【００３８】
なお、行方向の連結具の表裏の配置法則は以下の通り、列方向の連結具の配置状態により４種類の方法に分けられる。
【００３９】
事例(i)  列方向の枚数が偶数でありかつ、（１，１）と（２，１）の太陽電池モジュールが表面同士が合わせられるときは、１列目と２列目を連結する金具１８ｂは裏面同士が合わさるように配置され、２列目と３列目を連結する金具１８ａは裏面同士が合わさるように配置される。以下は同様に１列移動するごとに表裏交互に連結具が配置される。
【００４０】
事例(ii)  列方向の枚数が偶数でありかつ、（１，１）と（２，１）の太陽電池モジュールが裏面同士が合わせられるときは、１列目と２列目を連結する金具１８ｂは表面同士が合わさるように配置され、２列目と３列目を連結する金具１８ａは表面同士が合わさるように配置される。以下は同様に１列移動するごとに表裏交互に連結具が配置される。
【００４１】
事例(iii)  列方向の枚数が奇数でありかつ、（１，１）と（２，１）の太陽電池モジュールが表面同士が合わせられるときは、１列目と２列目を連結する金具１８ｂは表面同士が合わさるように配置され、２列目と３列目を連結する金具１８ａは裏面同士が合わさるように配置される。以下は同様に１列移動するごとに表裏交互に連結具が配置される。
【００４２】
事例(iv)  列方向の枚数が奇数でありかつ、（１，１）と（２，１）の太陽電池モジュールが裏面同士が合わせられるときは、１列目と２列目を連結する金具１８ｂは裏面同士が合わさるように配置され、２列目と３列目を連結する金具１８ａは表面同士が合わさるように配置される。以下は同様に１列移動するごとに表裏交互に連結具が配置される。
【００４３】
上記のようにすることで、太陽電池アレイの１行目を２行目に畳み、２行目を３行目に畳むというように蛇腹に折り畳んだ１列目を、２列目側に折り畳み、さらに２列目を同様に蛇腹に折り畳む動作をｎ列目まで折り畳むことにより全ての太陽電池モジュールをひとつに折り畳むことが可能となる。１列目を２列目に折り畳む動作を図１４、２列目を３列目に折り畳む動作を図１５に示す。
【００４４】
以下、実際に太陽電池アレイを折り畳む様子について４面、６面、９面の太陽電池モジュールよりなる太陽電池アレイの場合を例にとり、本発明に係る実施形態を模式的に図示した図面に基づいて詳細に説明する。
【００４５】
図７は本発明の２行２列の４面の太陽電池モジュールよりなる太陽電池アレイを折り畳む過程を示す斜視図であり、図８は２行３列の６面の太陽電池モジュールよりなる太陽電池アレイを折り畳む過程の斜視図、図９は３行３列の９面の太陽電池モジュールよりなる太陽電池アレイを折り畳む過程の斜視図である。
【００４６】
図７に示すように、本発明の太陽電池アレイは、太陽電池モジュールの４面より成り、面と面の間は蝶番の機能をもつ連結具により接続された構造である。ここで連結具が蝶番の機能を持つことから折り畳むことが可能となっている。
【００４７】
太陽電池アレイの４つの面をそれぞれ行列に当てはめて、（１，１）面、（２，１）面、（１，２）面、（２，２）面とし、太陽電池素子の受光面を表面としとして、以下に折り畳む順序を示す。まず、図７（ａ）のような太陽電池アレイを展開した状態から、図７（ｂ）のように太陽電池モジュール（１，２）と（２，２）の表面同士を合わせる。次に図７（ｃ）のように太陽電池モジュール（１，１）と（２，１）の表面同士をあわせ、最後に図７（ｄ）のように太陽電池モジュール（１，１）と（１，２）の裏面同士を合わせることにより、図７（ｅ）のように折り畳みが完了する。
【００４８】
図８に示す本発明の太陽電池アレイにおいて、ｍ行ｎ列がそれぞれｍ＝２、ｎ＝３の２行３列の６面の太陽電池モジュールからなる例を示す。まず、図８（ａ）のように太陽電池アレイを展開した状態から、図８（ｂ）のように太陽電池モジュール（１，１）と（２，１）の裏面同士を合わせる。太陽電池モジュール（１，３）面と（２，３）面の裏面同士も同様に折り畳みを行う。次に図８（ｃ）のように太陽電池モジュール（１，３）と（１，２）の表面同士が合わさるように折り畳み、同様に図２（ｄ）のように太陽電池モジュール（２，１）と（２，２）の表面同士を合わせる。最後に図２（ｅ）のように太陽電池モジュール（１，２）と（２，２）の裏面同士を合わせることにより、図２（ｆ）のように折り畳みが完了する。
【００４９】
図９に本発明の太陽電池アレイにおいて、ｍ行ｎ列がそれぞれｍ＝３、ｎ＝３の３行３列の９面の太陽電池モジュールからなる例を示す。まず、図９（ａ）のように太陽電池アレイを展開した状態から、図９（ｂ）のように太陽電池モジュール（１，１）と（２，１）の表面同士を合せる。このとき反対側の太陽電池モジュール（３，３）と（３，２）の裏面同士も同様に折り畳みを行う。次に図９（ｃ）のように太陽電池モジュール（２，１）と（３，１）の裏面同士が合わさるように折り畳み、このとき反対側の太陽電池モジュール（１，３）と（２，３）の表面同士も同様に折り畳みを行う。次に図９（ｄ）のように太陽電池モジュール（３，１）と（３，２）の表面同士を合わせる。さらに図９（ｅ）のように太陽電池モジュール（３，２）と（２，２）の裏面同士を合せ、同様にして太陽電池モジュール（１，２）と（２，２）の表面同士も合わせる。最後に図３（ｆ）のように太陽電池モジュール（１，２）と（１，３）の裏面同士を合わせらることにより、図３（ｇ）のように折り畳みが完了する。
【００５０】
図１０は本発明に係わる太陽電池アレイにおいて、太陽電池アレイの側面に孔を設け、太陽電池モジュールの展開状態を固定するための棒を貫通させる固定方法を模式的に示す斜視図、図１１は本発明に係わる太陽電池アレイにおいて、太陽電池アレイの外周側面に帯を設け、太陽電池モジュールの展開状態を固定するための棒を取り付ける方法を模式的に示す斜視図、図１２は本発明に係わる太陽電池アレイにおいて、太陽電池アレイの外周部に溝を設け、太陽電池モジュールの展開状態を固定するための棒を嵌めこむ方法を模式的に示す斜視図、図１３は本発明に係わる太陽電池アレイにおいて、太陽電池モジュールの枠部に展開状態を固定するためのストッパー機構を設けた様子を模式的に示す斜視図である。
【００５１】
図１０に示すように、太陽電池アレイ１０ａは、太陽電池モジュールの側面に各太陽電池モジュール間を貫通する挿入孔２を設け、この挿入孔２に棒状の支持部材３（３ａ、３ｂ）を挿入することにより、太陽電池アレイ１０ａは太陽電池モジュール（１，１）〜（３，３）を連結している連結具だけでなく、アルミニウムや鉄、ステンレスなどの金属材や、ポリカーボネイトなどの樹脂材、木材などで出来た強固な支持部材により支持されるようになり、風による風加重や自重によるたわみなどによる破損等が生じないようにできる。また、棒状の支持部材を挿入するだけでよいので構造が簡単で施工性もよい。
【００５２】
また、図１１に示すように、太陽電池アレイ１０ｂは、太陽電池アレイの外周側面に固定ベルト４を設け、支持部材３（３ａ、３ｃ）を太陽電池アレイ外周に固定することで、展開状態が強固に固定される。なお、固定ベルト４はマジックテープのように着脱の容易な樹脂製ベルトや、紐のようなものが適用可能であり、使用する棒の径に合わせて締め付け口径が変更できるようにしておけば、専用の支持部材でなくても代用が可能となり、汎用性が増す。また、太陽電池架台などへの直接固定もできる。
【００５３】
また、図１２に示すように、太陽電池アレイ１０ｃは、太陽電池アレイの端部に固定溝５が設けられており、展開状態を固定するための棒状の支持部材３（３ａ、３ｃ）が嵌めこまれ、太陽電池アレイの展開状態を強固に固定するようにしている。
【００５４】
また、図１３に示すように、太陽電池アレイ１０ｄは、太陽電池アレイの側面に設けた溝に沿ってスライドするストッパー６が設けられており、太陽電池モジュール展開後に隣接する太陽電池モジュールとの間にストッパー６を挿入することにより展開状態が強固に固定される。図中では太陽電池モジュール（３，１）と（３，２）間のストッパー６ａが固定状態であり、太陽電池モジュール（３，２）と（３，３）間のストッパー６ｂが固定解除状態を示している。
【００５５】
なお、本実施例では太陽電池モジュールの枚数が４枚、６枚、９枚の場合を基に説明したがこれ以上の枚数としても実施可能であり、例えば５行５列の２５枚より成る太陽電池アレイとした場合においても同様の効果を得ることが可能であることは云うまでもない。
【図面の簡単な説明】
【００５６】
【図１】本発明に係る太陽電池アレイにおける太陽電池モジュールの配置を模式的に説明する配置図である。
【図２】本発明に係る太陽電池アレイにおける太陽電池モジュールと列方向の第１連結具の配置を模式的に説明する配置図である。
【図３】本発明に係る太陽電池アレイにおける太陽電池モジュールと行方向の第２連結具の配置の一部を模式的に説明する配置図である。
【図４】本発明に係る太陽電池アレイにおける太陽電池モジュールの行方向の第２連結具の配置を完了した様子を模式的に説明する配置図である。
【図５】本発明に係る太陽電池アレイの連結された状態を模式的に説明する配置図である。
【図６】（ａ）、（ｂ）は本発明に係る太陽電池アレイにおいて折り畳み構造の断面を模式的に説明する図であり、（ａ）は平面図、（ｂ）は一部断面図である。
【図７】（ａ）〜（ｅ）は本発明に係る太陽電池アレイにおいて２行２列の４面の太陽電池モジュールよりなる太陽電池モジュールと折り畳まれる過程を模式的に説明する斜視図である。
【図８】（ａ）〜（ｆ）は本発明に係る太陽電池アレイにおいて２行３列の６面の太陽電池モジュールよりなる太陽電池モジュールと折り畳まれる過程を模式的に説明する斜視図である。
【図９】（ａ）〜（ｇ）は本発明に係る太陽電池アレイにおいて３行３列の９面の太陽電池モジュールよりなる太陽電池モジュールと折り畳まれる過程を模式的に説明する斜視図である。
【図１０】本発明に係わる太陽電池アレイにおいて、太陽電池アレイの側面に孔を設け、太陽電池モジュールの展開状態を固定するための棒を貫通させる固定方法を模式的に示す斜視図である。
【図１１】本発明に係わる太陽電池アレイにおいて、太陽電池アレイの外周側面に帯を設け、太陽電池モジュールの展開状態を固定するための棒を取り付ける方法を模式的に示す斜視図である。
【図１２】本発明に係わる太陽電池アレイにおいて、太陽電池アレイの外周部に溝を設け、太陽電池モジュールの展開状態を固定するための棒を嵌めこむ方法を模式的に示す斜視図である。
【図１３】本発明に係わる太陽電池アレイにおいて、太陽電池モジュールの枠部に展開状態を固定するためのストッパー機構を設けた様子を模式的に示す斜視図である。
【図１４】本発明に係る太陽電池アレイの１列目を２列目に折り畳む動作を模式的に説明模式図である。
【図１５】本発明に係る太陽電池アレイの２列目を３列目に折り畳む動作を模式的に説明模式図である。
【図１６】従来の太陽電池モジュールの構造を模式的に示した一部断面図である。
【図１７】従来の太陽電池モジュールの設置構造を模式的に示した斜視図である。
【符号の説明】
【００５７】
１：太陽電池素子
２：挿入孔
３、３ａ〜３ｃ：支持部材
５：固定溝
６：ストッパー
１０、１０ａ〜１０ｄ：太陽電池アレイ
１２：光透過板
１３：封止材
１４：耐候性フィルム
１５：枠部
１６：ジャンクションボックス
１７、１７ａ、１７ｂ：第１連結具
１８、１８ａ、１８ｂ：第２連結具
１９：ジャンクションボックス
２０：太陽電池モジュール
２１：枠体
２３：太陽電池素子
２４：光透過板
２５：封止材
２６：耐候性フィルム
３１：基礎
３２：底部レール
３４：上辺レール
【図１】
2005317573.tif 000003
【図２】
2005317573.tif 000004
【図３】
2005317573.tif 000005
【図４】
2005317573.tif 000006
【図５】
2005317573.tif 000007
【図６】
2005317573.tif 000008
【図７】
2005317573.tif 000009
【図８】
2005317573.tif 000010
【図９】
2005317573.tif 000011
【図１０】
2005317573.tif 000012
【図１１】
2005317573.tif 000013
【図１２】
2005317573.tif 000014
【図１３】
2005317573.tif 000015
【図１４】
2005317573.tif 000016
【図１５】
2005317573.tif 000017
【図１６】
2005317573.tif 000018
【図１７】
2005317573.tif 000019